(57)【特許請求の範囲】
【請求項１】
携帯端末と、当該携帯端末と組み合わせて使用可能な情報表示装置とを含む情報表示システムであって、
前記情報表示装置は、
前記携帯端末と無線通信を行う通信部と、
前記携帯端末から受信した情報を表示する表示部と、を備え、
前記表示部は、前記携帯端末の背面側に設置され、
前記携帯端末は、前記情報表示装置に対応していないプログラムの代わりに、前記情報表示装置に対し情報を配信する代理通知部を備え、
前記代理通知部は、前記情報表示装置の電力制御状態に応じて、前記情報表示装置に対する情報配信を制御する、ことを特徴とする情報表示システム。
【請求項２】
前記代理通知部は、前記携帯端末の電力制御状態を前記情報表示装置に配信する、ことを特徴とする請求項１に記載の情報表示システム。
【発明の詳細な説明】
【技術分野】
【０００１】
この発明は、携帯端末と組み合わせて使用可能な情報表示装置、並びに携帯端末及び情報表示装置を含む情報表示システムに関する。
【背景技術】
【０００２】
電子広告の一形態として、遠隔サーバ等からネットワークを介して受信した映像情報をディスプレイに表示するデジタルサイネージ端末が普及しつつある。デジタルサイネージ端末は、映像情報を表示すると共に、近距離無線通信により、近隣の携帯端末へ追加の音声情報等を配信することができる（例えば、特許文献１参照）。
【先行技術文献】
【特許文献】
【０００３】
【特許文献１】特開２０１１−８５８６５号公報
【発明の概要】
【発明が解決しようとする課題】
【０００４】
近年、個人のセルフブラディングが注目されており、ソーシャルメディアといったオンライン上での情報発信については種々の検討、実用化が進んでいる。一方で、実環境（実世界）における個人の自由な情報発信技術（パーソナルサイネージ技術）は検討が進んでいない。
【０００５】
例えば特許文献１に記載の従来のデジタルサイネージ技術は、公共の場所に設置された平面ディスプレイやプロジェクタのような電子的なディスプレイを広告媒体とするものであって、デジタルサイネージ端末の位置は固定的である。また、従来のデジタルサイネージ端末は不特定多数の携帯端末との通信を前提とするものであって、デジタルサイネージ端末に対し個人が詳細な情報を提供することはセキュリティの観点から問題が大きい。
【０００６】
したがって、かかる点に鑑みてなされた本発明の目的は、個人が使用する携帯端末に組み合わせて周囲に情報を表示することが可能な情報表示装置、情報表示システムを提供することにある。
【課題を解決するための手段】
【０００７】
上述した諸課題を解決すべく、本発明に係る情報表示装置は、携帯端末と組み合わせて使用可能な情報表示装置であって、前記携帯端末と無線通信を行う通信部と、前記携帯端末から受信した情報を表示する表示部と、を備え、前記表示部は、前記携帯端末の背面側に設置される、ことを特徴とする。
【０００８】
また、情報表示装置は前記携帯端末のカバーとして構成されることが好ましい。
【０００９】
また、前記通信部は、他の情報表示装置と無線通信することが好ましい。
【００１０】
また、前記通信部は、前記表示部の表示内容に対応した無線通信を前記他の情報表示装置と行うことが好ましい。
【００１１】
また、前記表示部は、前記他の情報表示装置との通信結果に応じて表示内容を変化させることが好ましい。
【００１２】
上述した諸課題を解決すべく、本発明に係る情報表示システムは、携帯端末と、当該携帯端末と組み合わせて使用可能な情報表示装置とを含む情報表示システムであって、前記情報表示装置は、前記携帯端末と無線通信を行う通信部と、前記携帯端末から受信した情報を表示する表示部と、を備え、前記表示部は、前記携帯端末の背面側に設置され、前記携帯端末は、前記情報表示装置に対応していないプログラムの代わりに、前記情報表示装置に対し情報を配信する代理通知部を備える。
【００１３】
また、前記代理通知部は、前記携帯端末の電力制御状態を前記情報表示装置に配信する、ことが好ましい。
【００１４】
また、前記代理通知部は、前記情報表示装置の電力制御状態に応じて、前記情報表示装置に対する情報配信を制御することが好ましい。
【発明の効果】
【００１５】
本発明に係る情報表示装置、情報表示システムによれば、個人が使用する携帯端末に組み合わせて周囲に情報を表示することが可能となる。
【図面の簡単な説明】
【００１６】
【図１】本発明の一実施形態に係る情報表示装置の構成を示す図である。
【図２】携帯端末のカバーとして構成した情報表示装置の概要を示す図である。
【図３】情報表示装置の表示形態の一例を示す図である。
【図４】本発明の一実施形態に係る情報表示システムの構成を示す図である。
【発明を実施するための形態】
【００１７】
以降、諸図面を参照しながら、本発明の実施態様を詳細に説明する。
【００１８】
図１は、本発明の一実施形態に係る情報表示装置１の構成を示す図である。情報表示装置１は、スマートフォンやフィーチャーフォン、タブレット端末などの携帯端末（図示せず）と組み合わせて使用されるものであって、携帯端末のユーザが自身に関する情報を周囲に表示するためのパーソナルサイネージ端末として機能するものである。情報表示装置１は、表示部１０と、通信部２０と、記憶部３０と、入力部４０と、制御部５０と、電源６０とを備え、好適な部材を介して携帯端末と組み合わせることができるものである。ここで、携帯端末に組み合わせることができるとは、携帯端末に対して着脱可能な任意の取り付け形態を含むものである。
【００１９】
表示部１０は、携帯端末から受信した情報を表示する。表示部１０は、例えば液晶ディスプレイ装置、有機ＥＬ（Electro Luminescence）ディスプレイ装置、ＬＥＤ（Light Emitting Diode）ディスプレイ装置、電子ペーパー等の好適なディスプレイ装置から構成される。表示部１０は、特に、携帯端末の背面側に設置され、携帯端末のユーザに関する情報を周囲に表示するものである。
【００２０】
通信部２０は、携帯端末と無線通信を行い、また、他の情報表示装置（図示せず）と無線通信を行うことができる。通信部２０は、例えばBluetooth（登録商標）、Wi-Fi（登録商標）、ＮＦＣ（Near Field Communication）等の好適な近距離無線インタフェース機器から構成される。通信部２０は、例えばBluetooth Low Energy(BLE)やiBeacon（登録商標）等の各種規格に対応した通信を携帯端末及び他の情報表示装置と行うことができる。
【００２１】
記憶部３０は、各種情報を記憶するものであって、ハードディスク及びメモリ等の好適な記憶媒体により構成される。
【００２２】
入力部４０は、ユーザからの操作入力を受け付けるものであって、例えば押しボタンスイッチやタッチパネルにより構成される。
【００２３】
制御部５０は、情報表示装置１の各機能部を制御するものであって、ＣＰＵ等の好適なプロセッサ及び電子回路より構成される。
【００２４】
電源６０は、情報表示装置１に電力を供給するものであって、好適にはボタン型、コイン型、パック型のリチウムイオン電池等から構成される。なお、情報表示装置１が携帯端末から給電を受けることができる場合、電源６０の構成は省略することも可能である。
【００２５】
図２は、携帯端末のカバーとして構成した情報表示装置１の概要を示す図である。図２では、表示部１０は携帯端末（図示せず）の背面側上部に配置され、下部には押しボタンスイッチである入力部４０が配置される。このように、情報表示装置１を携帯端末のカバーとして構成することにより、容易に携帯端末と組み合わせることができ、パーソナルサイネージ端末として利便性を向上させることが可能となる。なお、情報表示装置１の各機能部をモジュール化し、カバーの凹部に脱着自在に勘合可能な構成としてもよい。これにより、ユーザがカバーを変更する場合でも、古いカバーから情報表示装置１のモジュールを取り外し、新たなカバーに情報表示装置１を嵌め合わせ使用することが可能となる。また、表示部１０を携帯端末の背面側上部に配置することにより、携帯端末を保持するユーザの手と表示部１０との重なりを低減することができる。また、表示部１０の数は１つに限られず、複数の表示部１０を設けることも可能である。この場合、例えば図２に示す表示部１０に加え、通信部２０と携帯端末との通信状況や、電源６０の残量を示す小型の表示部（サブディスプレイ）を設けることも可能である。また、サブディスプレイの配置は携帯端末の背面側に限られず、例えばカバーの上下左右の側面にサブディスプレイを配置してもよい。
【００２６】
図３は、情報表示装置１の表示形態の一例を示す図である。図３Ａは、周囲に対するメッセージ表示の一例を示すものである。図示の通り、情報表示装置１は、周囲に対してユーザが希望するメッセージを表示することができる（例えばゲームへの参加者募集、アイテム交換希望等）を表示することができる。この場合、情報表示装置１の通信部２０は、表示部１０の表示内容に対応した無線通信を他の情報表示装置と行うことができる。例えば、図３Ａの場合、通信部２０は「参加者募集」という表示内容に対し、「参加者募集」を示すビーコン（無線信号）を他の情報表示装置に送信することができる。これにより、より確実に周囲に対してユーザが希望するメッセージを届けることが可能となる。さらに、表示部１０は、他の情報表示装置との通信結果に応じて表示内容を変化させることもできる。例えば、周囲へのメッセージに何らかの制限（募集時間、募集人数など）がある場合、表示部１０は、進捗に応じて画面の明るさ／色調を変化させたり、タイマーやカウントを表示するなど、画面内容を変更することができる。これにより、情報表示装置１は、周囲に対してメッセージに対する進捗状況を伝えることが可能となる。
【００２７】
図３Ｂは、携帯端末で動作中のアプリケーションの情報を表示するものである。図示の通り、情報表示装置１は、携帯端末で所定のアプリケーション（例えば音楽再生）を実行中、当該アプリケーションに関連するメッセージ（例えば再生中の音楽）を表示することができる。これにより、情報表示装置１は、周囲に対してユーザの趣味嗜好等を表示することができる。なお、情報表示装置１は、アプリケーションに関連するメッセージに合わせて、ユーザのコメント等（再生中の音楽が良い／悪いなど）を表示部１０に表示することができる。これにより、情報表示装置１は、周囲に対してコンテンツに対するユーザ評価情報を伝えることができる。
【００２８】
図３Ｃは、ユーザの感情等を伝えるキャラクターを表示するものである。図示の通り、情報表示装置１は、ユーザの感情を擬人化したキャラクターにより表示することができる。これにより、情報表示装置１は、周囲に対してユーザの現在の感情、心境等を伝えることができる。また、情報表示装置１は、図３Ａ及びＢに示すメッセージと合わせて、キャラクターを表示することができる。これにより、情報表示装置１は、ユーザの状況（例えばゲームで優勢か劣勢か、再生中の音楽を好きか嫌いか）をより直感的に周囲に伝えることができる。
【００２９】
なお、情報表示装置１の表示形態は図３に示す例に限られない。例えば、ユーザの宣伝広告情報を表示部１０に表示してその場で直接周囲の評価を得たり、さらに、周囲の評価数をカウントとして表示することもできる（例えば、リアルいいね）。また、表示部１０にユーザが好むデザインを表示することにより、携帯端末の外観デザインの一部を自由に設定することが可能となる。なお、情報表示装置１は、他の情報表示装置と通信することにより表示部１０のデザインを交換しても良い。また、情報表示装置１は、ＧＰＳ（Global Positioning System）等の位置情報取得装置と連携し、位置情報に応じて表示部１０の表示を行うこともできる。
【００３０】
図４は、本発明の一実施形態に係る情報表示システムの構成を示す図である。情報表示システムは、情報表示装置１と、通信部７１、代理通知部７２及び記憶部７３を備える携帯端末２とから構成されるものである。通信部７１は情報表示装置１と無線通信を行うインタフェースであり、記憶部７３はアプリケーション等の各種情報を記憶する記憶媒体である。代理通知部７２はＣＰＵ等の好適なプロセッサで構成されるものであり、処理については後述する。
【００３１】
一般的に、情報表示装置１と携帯端末２とはそれぞれ独立した機器であるため、携帯端末２における処理に応じて情報表示装置１の表示内容を変化させるためには、携帯端末２のプログラムが情報表示装置１に対応している必要がある。携帯端末２のプログラムが情報表示装置１に対応している場合、携帯端末２のプログラムから情報表示装置１に対して所定の制御メッセージが送られるため、情報表示装置１は当該制御メッセージに基づき表示部１０の表示を変化させることができる。
【００３２】
本実施形態の携帯端末２が備える代理通知部７２は、情報表示装置１に対応していないプログラムの代わりに、情報表示装置１に対し情報を配信するものである。これにより、携帯端末２は、例えば情報表示装置１に対応していない音楽アプリケーションの代わりに、再生中の音楽情報を情報表示装置１に通知することが可能になる。代理通知部７２は、アプリケーションの他に、携帯端末２のＯＳ（Operating System）処理やユーザからの所定操作等の各処理に対応して、情報表示装置１に対し情報を配信することができる。携帯端末２のユーザは、携帯端末２の画面上で代理通知部７２の通知設定を編集することができる。なお、代理通知部７２は、指定しないプログラムにおいても、経由するアプリケーションが受託できる情報において、必要な通知を行うことができる。受託できる通知は指定によらず、サービスの許容されている範囲においても端末に表示が可能になる。これにより携帯端末２は、アプリケーション間で連携しＯＳによって許可されたあらゆるデータを受信可能になる。よって代理通知部７２は他社製アプリケーションがＯＳに渡している情報を表示できる。
【００３３】
また、代理通知部７２は、携帯端末２の電力制御状態を情報表示装置１に通知することができる。情報表示装置１は携帯端末２と組み合わされて使用されるものであり、携帯端末２と同様に省電力制御を行うことが好ましい。このため、代理通知部７０が携帯端末２の電力制御状態（アクティブ、スリープ、画面ＯＦＦなど）を通知することにより、情報表示装置１は、携帯端末２と同期して電力制御状態を行うことが可能となる。なお、情報表示装置１は、携帯端末２の電力制御状態によらず、独自に電力制御を行うことができることは言うまでもない。
【００３４】
また、代理通知部７２は、情報表示装置１の電力制御状態に応じて、情報表示装置１に対する情報配信を制御することができる。例えば情報表示装置１の残電力が少ない場合、情報表示装置１はスリープモードになり携帯端末２からの情報に反応しない（できない）場合があり、携帯端末２は無線通信により余分な電力を消費することになる。このため、代理通知部７２は、情報表示装置１の電力制御状態に応じて、情報表示装置１に対する情報配信を制御することにより、情報表示装置１のスリープ中などに不要な無線通信が発生することを防ぐことができる。
【００３５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップなどに含まれる機能などは論理的に矛盾しないように再配置可能であり、複数の機能部やステップなどを１つに組み合わせたり、或いは分割したりすることが可能である。
【符号の説明】
【００３６】
１  情報表示装置
１０  表示部
２０  通信部
３０  記憶部
４０  入力部
５０  制御部
６０  電源
２  携帯端末
７１  通信部
７２  代理通知部
７３  記憶部
【図１】
0006542512.tif 000002
【図２】
0006542512.tif 000003
【図３】
0006542512.tif 000004
【図４】
0006542512.tif 000005